【手続補正書】
【提出日】平成22年7月27日(2010.7.27)
【手続補正１】
【補正対象書類名】特許請求の範囲
【補正対象項目名】全文
【補正方法】変更
【補正の内容】
【特許請求の範囲】
【請求項１】
入力されるオーディオ信号を所定の再生時間で再生するために前記オーディオ信号に速度変換処理を適用して圧縮伸長するための目標圧伸比が設定される音声再生装置であって、
前記オーディオ信号に対して、音声を含む音声区間と、音声を含まない非音声区間とを判別する判別手段と、
前記判別手段において判別された前記音声区間に基づいて、前記オーディオ信号中に含まれる音声区間の時間比率を示す音声含有率を算出する音声含有率算出手段と、
（１）前記音声含有率と、
（２）前記目標圧伸比と、
（３）前記音声区間の平均速度比と前記非音声区間の平均速度比とが満たすべき算出条件を示す複数の音声速度比算出パターンを有する音声速度比算出分布と
を用いて、前記音声区間の平均速度比と、前記非音声区間の平均速度比とを算出し、算出したそれぞれの平均速度比を速度比条件として設定する速度比条件設定手段と、
前記速度比条件設定手段により設定された前記速度比条件に基づいて、前記音声区間及び前記非音声区間のそれぞれの圧伸比の変化の和が、前記音声区間又は前記非音声区間内においてゼロとなるように、前記音声区間の平均速度比及び前記非音声区間の平均速度比を決定する速度比決定手段と、
前記オーディオ信号に含まれる音声区間及び非音声区間の再生速度を前記速度比決定手段で決定された前記音声区間の速度比および前記非音声区間の速度比に基づいてそれぞれ変換する速度変換手段とを備え、
前記複数の音声速度比算出パターンは、互いに異なる前記算出条件を有し、
前記速度比条件設定手段は、前記音声含有率と前記目標圧伸比に応じて、前記複数の音声速度比算出パターンの中から一つの音声速度比算出パターンが定まる前記音声速度比算出分布に基づいて、前記速度比条件を設定することを特徴とする、音声再生装置。
【請求項２】
前記オーディオ信号の内容を示すコンテンツ情報を取得するコンテンツ取得手段を、さらに備え、
前記速度比条件設定手段は、
前記コンテンツ情報が示す内容に応じた複数の前記音声速度比算出分布を有し、
前記コンテンツ取得手段により取得された前記コンテンツ情報に基づいて前記複数の音声速度比算出分布の中から一つを選択し、
選択した前記音声速度比算出分布に基づいて、前記速度比条件を設定する
ことを特徴とする、請求項１に記載の音声再生装置。
【請求項３】
前記判別手段は、予め定められた特定音を含む特定イベント区間と、前記特定音を含まない非特定イベント区間とを判別し、前記非特定イベント区間に対して前記音声区間と前記非音声区間とを判別し、
前記判別手段により判別された前記特定イベント区間に基づいて、前記オーディオ信号中に含まれる特定イベント区間の時間比率を示す特定イベント含有率を算出する特定イベント含有率算出手段をさらに備え、
前記速度比条件設定手段は、
（４）前記特定イベント含有率と、
（５）前記目標圧伸比と、
（６）前記特定イベント区間の平均速度比と前記非特定イベント区間の平均速度比が満たすべき算出条件を示す複数の特定イベント速度比算出パターンを有する特定イベント速度比算出分布とを用いて、
前記特定イベント区間の平均速度比と前記非特定イベント区間の平均速度比を算出し、算出したそれぞれの平均速度比を前記速度比条件としてさらに設定し、
前記複数の特定イベント速度比算出パターンは、互いに異なる前記算出条件を有し、
前記速度比条件設定手段は、前記特定イベント含有率と前記目標圧伸比に応じて、前記複数の特定イベント速度比算出パターンの中から一つの特定イベント速度比算出パターンが定まる前記特定イベント速度比算出分布に基づいて、前記速度比条件を設定する
ことを特徴とする、請求項１又は請求項２に記載の音声再生装置。
【請求項４】
前記判別手段は、複数種類の前記特定音をそれぞれ含む複数の前記特定イベント区間と、前記複数種類の特定音を全て含まない非特定イベント区間とを判別し、
前記速度比条件設定手段は、
前記複数の特定イベント区間に対応する複数の前記特定イベント含有率にそれぞれ対応する複数の前記特定イベント速度比算出分布を有し、
判別された特定イベント区間に対応する前記複数の特定イベント速度比算出分布に基づいて、前記速度比条件を設定する
ことを特徴とする、請求項３に記載の音声再生装置。
【請求項５】
前記判別手段において判別された前記音声区間の開始時刻から終了時刻までの時間を音声区間長として算出する音声区間長算出手段をさらに備え、
前記速度比条件設定手段は、前記音声区間の平均速度比に応じた音声区間の終了時刻における終了速度比を速度比条件としてさらに設定する
ことを特徴とする、請求項１から請求項４のいずれか一項に記載の音声再生装置。
【請求項６】
前記速度比決定手段は、前記音声区間の速度比が前記終了速度比を超えないように決定する
ことを特徴とする、請求項５に記載の音声再生装置。
【請求項７】
前記速度比決定手段は、前記音声区間に対して、前記音声区間の開始時刻から経過した時間を前記音声区間長で除算して得られる経過割合に、さらに基づいて、前記音声区間の速度比を決定する、請求項５又は６に記載の音声再生装置。
【請求項８】
前記音声速度比算出分布において、前記音声含有率と前記目標圧伸比が前記複数の音声速度比算出パターン間の境界を示す場合であっても、算出される平均速度比は連続値となる
ことを特徴とする、請求項１から請求項７のいずれか一項に記載の音声再生装置。
【請求項９】
ユーザからの指示を受け付けるインタフェース手段を、さらに備え、
前記速度比条件設定手段は、前記インタフェース手段で受け付けたユーザの指示に対応して、前記音声含有率、前記目標圧伸比、及び前記複数の音声速度比算出パターンの関係を調整した前記音声速度比算出分布に基づいて、前記速度比条件を設定する
ことを特徴とする、請求項１から請求項８のいずれか一項に記載の音声再生装置。
【請求項１０】
前記音声含有率算出手段は、算出対象となる単位時間より以前の前記単位時間ごとの前記音声含有率を用いて、算出対象となる前記音声含有率を帰納的に予測して算出する
ことを特徴とする、請求項１から請求項９のいずれか一項に記載の音声再生装置。
【請求項１１】
前記音声区間長算出手段は、算出対象である音声区間より以前に音声区間と判別された音声区間の前記音声区間長を用いて、算出対象である音声区間の区間長を帰納的に予測して算出する
ことを特徴とする、請求項１０に記載の音声再生装置。
【請求項１２】
入力されるオーディオ信号を所定の再生時間で再生するために前記オーディオ信号に速度変換処理を適用して圧縮伸長するための目標圧伸比が設定される音声再生方法であって、
前記オーディオ信号に対して、音声を含む音声区間と、音声を含まない非音声区間とを判別する判別ステップと、
前記判別ステップにおいて判別された前記音声区間に基づいて、前記オーディオ信号中に含まれる音声区間の比率を示す音声含有率を算出する音声含有率算出ステップと、
（１）前記音声含有率と、
（２）前記目標圧伸比と、
（３）前記音声区間の平均速度比と前記非音声区間の平均速度比とが満たすべき算出条件を示す複数の音声速度比算出パターンを有する音声速度比算出分布と
を用いて、前記音声区間の平均速度比と、前記非音声区間の平均速度比とを算出し、算出したそれぞれの平均速度比を速度比条件として設定する速度比条件設定ステップと、
前記速度比条件設定ステップにより設定された前記速度比条件に基づいて、前記音声区間及び前記非音声区間のそれぞれの圧伸比の変化の和が、前記音声区間又は前記非音声区間内においてゼロとなるように、前記音声区間の平均速度比及び前記非音声区間の平均速度比を決定する速度比決定ステップと、
前記オーディオ信号に含まれる音声区間及び非音声区間の再生速度を前記速度比決定手段で決定された前記音声区間の速度比および前記非音声区間の速度比に基づいてそれぞれ変換する速度変換ステップとを含み、
前記複数の音声速度比算出パターンは、互いに異なる前記算出条件を有し、
前記速度比条件設定ステップは、前記音声含有率と前記目標圧伸比に応じて、前記複数の音声速度比算出パターンの中から一つの音声速度比算出パターンが定まる前記音声速度比算出分布に基づいて、前記速度比条件を設定することを特徴とする、音声再生方法。
【請求項１３】
入力されるオーディオ信号を所定の再生時間で再生するために前記オーディオ信号に速度変換処理を適用して圧縮伸長するための目標圧伸比が設定される音声再生装置のコンピュータに実行させるためのプログラムであって、
前記オーディオ信号に対して、音声を含む音声区間と、音声を含まない非音声区間とを判別する判別ステップと、
前記判別ステップにおいて判別された前記音声区間に基づいて、前記オーディオ信号中に含まれる音声区間の比率を示す音声含有率を算出する音声含有率算出ステップと、
（１）前記音声含有率と、
（２）前記目標圧伸比と、
（３）前記音声区間の平均速度比と前記非音声区間の平均速度比とが満たすべき算出条件を示す複数の音声速度比算出パターンを有する音声速度比算出分布と
を用いて、前記音声区間の平均速度比と、前記非音声区間の平均速度比とを算出し、算出したそれぞれの平均速度比を速度比条件として設定する速度比条件設定ステップと、
前記速度比条件設定ステップにより設定された前記速度比条件に基づいて、前記音声区間及び前記非音声区間のそれぞれの圧伸比の変化の和が、前記音声区間又は前記非音声区間内においてゼロとなるように、前記音声区間の平均速度比及び前記非音声区間の平均速度比を決定する速度比決定ステップと、
前記オーディオ信号に含まれる音声区間及び非音声区間の再生速度を前記速度比決定手段で決定された前記音声区間の速度比および前記非音声区間の速度比に基づいてそれぞれ変換する速度変換ステップとを、前記コンピュータに実行させ、
前記複数の音声速度比算出パターンは、互いに異なる前記算出条件を有し、
前記速度比条件設定ステップは、前記音声含有率と前記目標圧伸比に応じて、前記複数の音声速度比算出パターンの中から一つの音声速度比算出パターンが定まる前記音声速度比算出分布に基づいて、前記速度比条件を設定することを特徴とする、プログラム。
【請求項１４】
入力されるオーディオ信号を所定の再生時間で再生するために前記オーディオ信号に速度変換処理を適用して圧縮伸長するための目標圧伸比が設定される集積回路であって、
前記オーディオ信号に対して、音声を含む音声区間と、音声を含まない非音声区間とを判別する判別手段と、
前記判別手段において判別された判別結果に基づいて、前記オーディオ信号に含まれる音声区間の比率を示す音声含有率を算出する音声含有率算出手段と、
（１）前記音声含有率と、
（２）前記目標圧伸比と、
（３）前記音声区間の平均速度比と前記非音声区間の平均速度比とが満たすべき算出条件を示す複数の音声速度比算出パターンを有する音声速度比算出分布と
を用いて、前記音声区間の平均速度比と、前記非音声区間の平均速度比とを算出し、算出したそれぞれの平均速度比を速度比条件として設定する速度比条件設定手段と、
前記速度比条件設定手段により設定された前記速度比条件に基づいて、前記音声区間及び前記非音声区間のそれぞれの圧伸比の変化の和が、前記音声区間又は前記非音声区間内においてゼロとなるように、前記音声区間の平均速度比及び前記非音声区間の平均速度比を決定する速度比決定手段と、
前記オーディオ信号に含まれる音声区間及び非音声区間の再生速度を前記速度比決定手段で決定された前記音声区間の速度比および前記非音声区間の速度比に基づいてそれぞれ変換する速度変換手段とを備え、
前記複数の音声速度比算出パターンは、互いに異なる前記算出条件を有し、
前記速度比条件設定手段は、前記音声含有率と前記目標圧伸比に応じて、前記複数の音声速度比算出パターンの中から一つの音声速度比算出パターンが定まる前記音声速度比算出分布に基づいて、前記速度比条件を設定することを特徴とする、集積回路。
【手続補正２】
【補正対象書類名】明細書
【補正対象項目名】００６９
【補正方法】変更
【補正の内容】
【００６９】
図６は、音声含有率が０．５のときの目標圧伸比、音声区間の平均速度比、非音声区間の平均速度比を示している。上述した図５に示されるように、目標圧伸比が０．３７５から０．５１０までの値をとるとき、算出パターンａが選択される。目標圧伸比が０．５０１から０．７６９までの値をとるとき、算出パターンｂが選択される。目標圧伸比が０．７６９から１までの値をとるとき、算出パターンｃが選択される。ここで、図５に示した各算出パターンには、上述したように、平均速度比の取り得る値が設定されている。従って、上述した算出パターン及び式（１）により、図６に示すような平均速度比が算出される。
【手続補正３】
【補正対象書類名】図面
【補正対象項目名】図４
【補正方法】変更
【補正の内容】
【図４】
2008058956.tif 000001
【手続補正４】
【補正対象書類名】図面
【補正対象項目名】図５
【補正方法】変更
【補正の内容】
【図５】
2008058956.tif 000002
【手続補正５】
【補正対象書類名】図面
【補正対象項目名】図６
【補正方法】変更
【補正の内容】
【図６】
2008058956.tif 000003
【手続補正６】
【補正対象書類名】図面
【補正対象項目名】図１３
【補正方法】変更
【補正の内容】
【図１３】
2008058956.tif 000004
【手続補正７】
【補正対象書類名】図面
【補正対象項目名】図１４
【補正方法】変更
【補正の内容】
【図１４】
2008058956.tif 000005
【手続補正８】
【補正対象書類名】図面
【補正対象項目名】図１６
【補正方法】変更
【補正の内容】
【図１６】
2008058956.tif 000006